(57)【要約】【課題】固形石鹸等の小物の出し入れが容易で、水はけの良好な小物置きの提供を図る。【解決手段】トレー１と、トレー１に設けられた立て部２とを備える。トレー１は、固形石鹸等の小物の底面を支持する複数の突条１０と、当該突条１０と突条１０との間に配置された凹溝１１とを備える。複数の突条１０のうち、少なくとも一つの突条１０に前記立て部２が支持され、前記立て部２は、その下端と前記凹溝１１の底面との間に隙間を有する。【選択図】図１
2014079571.tif 000002
【特許請求の範囲】
【請求項１】
トレーと、前記トレーに設けられた立て部とを備え、
前記トレーは、複数の突条と、前記突条と前記突条との間に配置された凹溝とを備え、
前記複数の突条のうち、少なくとも一つの突条に前記立て部が支持され、
前記立て部は、その下端と前記凹溝の底面との間に隙間を有し、
前記トレーの上に置かれた小物は、前記突条のうち少なくとも一つに支持されると共に、前記立て部により前記トレーからの脱落が防止されたことを特徴とする小物置き。
【請求項２】
前記立て部は、前記トレーと別体に形成されたものであり、
前記複数の突条のうち、少なくとも一つの突条には、前記突条の長手方向と交わる方向にスリットが形成され、
前記立て部は、その下側に被支持部を備え、前記スリットに前記被支持部を挿入することによって、前記トレーに立てられるものであることを特徴とする請求項１記載の小物置き。
【請求項３】
前記立て部は、着脱可能に前記スリットに挿入できるものであり、前記トレーと前記立て部との間に抜け止めの構造を有することを特徴とする請求項２記載の小物置き。
【請求項４】
前記凹溝の底部が傾斜しており、水を前記傾斜によって、前記隙間から前記トレー外に排出できるようにしたことを特徴とする請求項１〜３のいずれかに記載の小物置き。
【請求項５】
前記トレーは、正面視において波形の形状を備えた波板状をなし、
前記トレーの波形の凸部が前記突状を構成し、波形の凹部が前記凹溝であることを特徴とする請求項１〜４のいずれかに記載の小物置き。
【請求項６】
前記突条は、中央突条と、前記中央突条の高さよりも高い側部突条とを備え、
前記中央突条の上に前記小物が載せられ、
前記中央突条の上に載せられた前記小物が前記トレーから脱落することを、前記側部突条が防止するものであることを特徴とする請求項１〜５の何れかに記載の小物置き。
【請求項７】
前記立て部が平面視において湾曲していることを特徴とする請求項１〜６の何れかに記載の小物置き。
【請求項８】
前記トレーを複数備え、
これらの複数の前記トレーが、前後又は左右に着脱可能に連結されたものであることを特徴とする請求項１〜７の何れかに記載の小物置き。
【請求項９】
前記トレーから下方に伸びる支持体が、前記トレーに設けられ、
前記支持体に吸盤が設けられ、
前記吸盤を壁面に吸着させることによってトレーを壁面に配置することができるようにしたことを特徴とする請求項１〜８の何れかに記載の小物置き。
【請求項１０】
前記立て部が吸盤を備え、
前記吸盤を設けた立て部と前記トレーとが固定され、
前記吸盤を壁面に吸着させることによってトレーを壁面に配置することができるようにしたことを特徴とする請求項１〜９の何れかに記載の小物置き。
【請求項１１】
前記立て部を１枚備え、前記トレー上において前記立て部の少なくとも正面前方は開放され、
小物を前記立て部の正面に立てかけることにて、当該小物の正面側を露出させた状態で、当該小物を前記トレー上に支持することを特徴とする請求項１〜９のいずれかに小物置き。
【請求項１２】
前記立て部を少なくとも２枚備え、
前記小物を少なくとも２枚の前記立て部の間に挿入することで、前記小物を立てた状態で前記トレー上に支持することを特徴とする請求項１〜１０のいずれかに小物置き。
【請求項１３】
少なくとも小物１個を収容できる間隔を互いの間に開けて、並べて配置される少なくとも３枚の前記立て部を備え、
前記３枚の立て部のうち中間に配された立て部を、小物間の間仕切りとして、２個以上の小物を立てた状態で前記トレー上に支持することが可能な請求項１〜１０のいずれかに小物置き。
【請求項１４】
トレーと、前記トレーに設けられた立て部とを備え、
前記トレーは、前記突条は２つの斜面により構成される突条を備え、
前記２つの斜面の長手方向と交わる方向にスリットが形成され、
前記立て部は、その下側に被支持部を備え、前記スリットに前記被支持部を挿入することによって、前記トレーに立てられるものであり、
前記突条と前記立て部とによって小物を支持することを特徴とする小物置き。
【請求項１５】
前記小物が、固形石鹸、眼鏡、包丁、食器、清掃用スポンジ、化粧パプ、歯ブラシ、歯磨き、スマートフォン、携帯電話、文房具からなる群から選択された少なくとも１種であることを特徴とする請求項１〜１４の何れかに記載の小物置き。
【発明の詳細な説明】
【技術分野】
【０００１】
本発明は、小物置きに関するものである。
【背景技術】
【０００２】
固形石鹸、眼鏡、包丁、食器、清掃用スポンジ、化粧パプ、歯ブラシ、歯磨き、スマートフォン、携帯電話、文房具等の小物を整理したり、滑り落ちたりすることを防止するために、従来より種々の小物置きが用いられている。
その代表例としては、洗面場や風呂場、手洗いなどで固形石鹸を収容するのに、底に水抜き孔を備えた石鹸箱を挙げることができる。
この石鹸箱は、プラスチックのケースであり、収容された固形石鹸の水切りを行うため、前記水抜き孔が底部に設けられている。
【０００３】
箱体という基本的形状は、載置された固形石鹸の形状に拘らず、固形石鹸の底面の広い範囲が容器の底部と密接された状態となる。従って、載置された固形石鹸の表面や底面の水気の迅速な除去は困難である。そのため、固形石鹸がクリーム状に軟化するという課題がある。また、固形石鹸と石鹸容器との接触面積が大きいため、軟化した固形石鹸が容器の底部に粘着し容器の美観を損ねるという欠点を有している。
【０００４】
特許文献１には、このような石鹸箱を改良した固形石鹸立てが提案されている。この固形石鹸立ては、長手方向の上部中央に略Ｖ字状の切欠部を設けた石鹸支持板と相対向する該石鹸支持板の面壁に適宜の間隔及び段差を設け略Ｕ字状の曲線を描く点に数本架設される棒状体の石鹸保持杆からなる。
特許文献１によれば、特許文献１の固形石鹸立ては、固形石鹸を収容中固形石鹸に付着した水分を迅速に除去して短時間で固形石鹸を乾燥させることができ、また、固形石鹸立てにクリーム状に軟化した固形石鹸が粘着することを防止することができ、従来の箱体を基本形状とする石鹸箱には見られない斬新な形状を有する美観に優れた固形石鹸立てを提供することができるとされる。
【０００５】
しかし、特許文献１の固形石鹸立ては、略Ｕ字状の曲線を描く点に数本架設される棒状体の石鹸保持杆に囲まれるため、固形石鹸の出し入れできる方向は固形石鹸立ての上下方向に制限される。
また、特許文献１の固形石鹸立ては、２枚の石鹸支持板が複数の石鹸保持杆にて保持されるという複雑な構造を有し、固形石鹸立ての収納や運搬、洗浄時など、固形石鹸立ての分解を簡単に行うことができず不便である。需要者が、分解状態で販売されものを購入して、簡単に組み立てるということはできない。
【０００６】
一方、固形石鹸を収容保持するものとして、上記の箱型容器や固形石鹸立て以外に、特許文献２乃至４へ示す固形石鹸用の泡立てネットがある。これらのネットは、固形石鹸を使用しないとき、壁に固定されたフックなどに固形石鹸を吊下げておくことができる。また、これらの特許文献に示されるネット以外にも、固形石鹸を収納する小袋状のネットも知られている。
【０００７】
これらのネットは泡立ちの改善に効果があるが、ネットに固形石鹸を入れたまま、従来の石鹸箱に置いておくと、水分が逃げにくく固形石鹸が渇きにくいという問題があり、従来の石鹸箱の課題を解決することはできない。
【０００８】
固形石鹸以外にあっても、洗面台や流し台などの水回りにあっては、眼鏡、包丁、食器、清掃用スポンジ、化粧パプ、歯ブラシ、歯磨きなどの小物を、簡易に置いて置くことができるようにしておくために、小物置きを利用できる。その際、水回りに置かれる小物が濡れている場合や、小物に水がかかった場合にも、水はけが良く、容易に排水することができるようにしておくことが望ましい。
さらに、水回り以外の場所で用いられる小物置きでも、簡単な構造で確実に小物を支持することができ、さらに望ましくは、清掃のために小物置きを洗った場合にも水はけが良いことが望まれる。
【先行技術文献】
【特許文献】
【０００９】
【特許文献１】実用新案登録第３００４９５６公報
【特許文献２】特許第４１６８２２６号公報
【特許文献３】特許第４５６７３８９号公報
【特許文献４】特許第４５２３３５８号公報
【発明の概要】
【発明が解決しようとする課題】
【００１０】
本発明は、種々の小物を良好に載置することができる小物置きの提供を課題とする。また、本発明は、排水性が良好な小物置きの提供を課題とする。
【課題を解決するための手段】
【００１１】
本発明は、トレーと、前記トレーに設けられた立て部とを備え、前記トレーは、複数の突条と、前記突条と前記突条との間に配置された凹溝とを備え、前記複数の突条のうち、少なくとも一つの突条に前記立て部が支持され、前記立て部は、その下端と前記凹溝の底面との間に隙間を有し、前記トレーの上に置かれた小物は、前記突条のうち少なくとも一つに支持されると共に、前記立て部により前記トレーからの脱落が防止されたことを特徴とする小物置きを提供することにより、上記の課題を解決する。
本発明は、前記複数の突条のうち、少なくとも一つの突条に、前記突条の長手方向と交わる方向にスリットを形成し、前記スリットに前記立て部の下部を挿入するものとして実施することができる。これにより、簡単な構造で、トレーに立て部を確実に立てることができる。この立て部は、前記スリットに着脱可能に挿入できるものとし、前記トレーと前記立て部との間に抜け止めの構造を施すことによって、両者を分解して販売することができ、販売や保管時の荷姿を減容することができる。また簡単に組立分解ができることにより、清掃が行いやすい。さらに、着脱自在である立て部は、簡単に交換することができる。このため、トレーをそのままにして、立て部を他のデザインのものに簡単に変更することができる。
また前記凹溝の底部を傾斜させることで、水を前記傾斜によって、前記隙間から前記トレー外に排出できる。
【００１２】
より具体的には、前記トレーは、正面視において波形の形状を備えた波板状をなし、前記トレーの波形の凸部が前記突状を構成し、波形の凹部が前記凹溝であるものとすることができる。また、前記立て部が平面視において湾曲しているものとしてもよい。
また、前記突条は、前記トレーの両端に位置する側端突条と、前記側部突条同士の間に位置する中央突条とを備え、前記中央突条の上に前記小物が載せられ、前記側端突条の高さが前記中央突条の高さよりも高いものとすることができる。これによって、前記中央突条の上に載せられた前記小物が、前記トレーの両端から脱落することを防止することができる。
【００１３】
また前記トレーは、前後又は左右に互いに着脱可能に連結するものでもよい。
さらに前記トレーは、前記凹溝を洗面台などの載置面上に置いて用いることもできるが、立て部や、前記トレーに設けられる支持体に吸盤を設け、前記吸盤を壁面に吸着させることによってトレーを壁面に配置してもよい。
前記立て部は、１枚であってもよく、２枚であってもよく、３枚以上であってもよい。
また本発明は、トレーと、前記トレーに設けられた立て部とを備え、前記トレーは、前記突条は２つの斜面により構成される突条を備え、前記２つの斜面の長手方向と交わる方向にスリットが形成され、前記立て部は、その下側に被支持部を備え、前記スリットに前記被支持部を挿入することによって、前記トレーに立てられるものであり、前記突条と前記立て部とによって小物を支持することを特徴とする小物置きとして実施することもできる。
前記小物の種類や形状は特に限定されないが、例えば、固形石鹸、眼鏡、包丁、食器、清掃用スポンジ、化粧パプ、歯ブラシ、歯磨き、スマートフォン、携帯電話、文房具などを例示することができる。
【発明の効果】
【００１４】
本発明は、種々の小物を良好に載置することができる小物置きを提供することができたものである。
また、本発明は、排水性が良好な小物置きを提供することができたものである。
特に、石鹸置きとして本発明を実施した場合、立て部の下端にて、立て部がトレーに支持されるので、小物置きの上方からのみならず、立て部間の上方、左方、右方が実質的に開放されたものとして実施することができ、左右横方向から固形石鹸の出し入れを行うことができる。また、固形石鹸と接触するのは、トレーの突条の頂部だけであるため、接触面積を小さくすることができ、水切りがよく、固形石鹸の乾燥が促進される。特に、立て部の下端と凹溝の底面との間に隙間を備えることにより、当該隙間を通じて凹溝にて、固形石鹸から滴る水分の排水を行うことができる。しかも、前記凹溝の底部が傾斜しており、水や溶けた固形石鹸などを前記傾斜によって、前記隙間から前記トレー外に排出できるようにすることで、固形石鹸から滴る水分の排水が円滑に行え、固形石鹸を長持ちさせることができる。
【図面の簡単な説明】
【００１５】
【図１】（Ａ）は本願発明の一実施の形態に係る小物置きの全体斜視図、（Ｂ）は（Ａ）の小物置きの使用状態を示す斜視図。
【図２】（Ａ）は図１（Ａ）に示す小物置きのトレーの正面図、（Ｂ）は（Ａ）のトレーの平面図、（Ｃ）は（Ａ）のトレーの斜視図、（Ｄ）はトレーの変更例を示す正面図。
【図３】（Ａ）は図１（Ａ）の小物置きの立て部の正面図、（Ｂ）は図１（Ａ）の小物置きのトレーに変更を加えた正面図、（Ｃ）は図１（Ａ）の小物置きの変更例を示す全体斜視図。
【図４】（Ａ）及び（Ｂ）は夫々図２（Ｂ）のトレーの変更例を示す一部切欠平面図、（Ｃ）は（Ａ）のトレーに立て部を取り付ける状態を示す斜視図。
【図５】（Ａ）は図１（Ａ）の小物置きへ泡立てネットに収容した固形石鹸を立てた状態を示す左側面図、（Ｂ）は、図３（Ｃ）の小物置きの凹溝を山形に傾斜させたものへ固形石鹸を立てた状態を示す左側面図、（Ｃ）は（Ｂ）の変更例を示す左側面図、（Ｄ）は（Ａ）の他の変更例を示す左側面図、（Ｅ）は立て部の変更例を示す正面図、（Ｆ）は立て部の他の変更例を示す正面図。
【図６】（Ａ）はトレーの変更例を示す正面図、（Ｂ）はトレーの他の変更例を示す正面図、（Ｃ）はトレーのまた他の変更例を示す正面図、（Ｄ）はトレーの更に他の変更例を示す正面図、（Ｅ）はトレーのまた更に他の変更例を示す正面図。
【図７】（Ａ）はさらに他の変更例を示す正面図、（Ｂ）さらにまた他の変更例を示す正面図、（Ｃ）は同変更例の側面図。
【図８】（Ａ）はさらに他の変更例に係る小物置きに係るトレーの正面図、（Ｂ）同変更例に係る小物置きに係る立て部の正面図、（Ｃ）は同変更例に係る小物置きの平面図。
【図９】（Ａ）はさらに他の変更例に係る小物置きに係る立て部の斜視図、（Ｂ）同変更例に係る小物置の平面図、（Ｃ）はさらに他の変更例に係る小物置きの平面図。
【図１０】さらに他の変更例に係る小物置きの分解斜視図。
【図１１】（Ａ）は他の変更例に係る小物置きに係るトレーを連結した斜視図、（Ｂ）はさらに他の変更例に係る小物置きに係るトレーを連結した斜視図。
【図１２】（Ａ）は他の変更例に係る小物置きの平面図、（Ｂ）はさらに他の変更例に係る小物置きの平面図。
【図１３】（Ａ）は他の変更例に係る小物置きの側面図、（Ｂ）はさらに他の変更例に係る小物置きの側面図。
【図１４】他の変更例に係る小物置きの斜視図。
【発明を実施するための形態】
【００１６】
以下、図面に基づき本発明の実施の形態を説明する。本発明は前記の種々の小物を収容できるものとして実施することができるが、以下の説明では、固形石鹸用の小物置き、即ち、固形石鹸立て実施した例を、代表例として示す。
説明の便宜上、各図において、Ｆは前方を、Ｂは後方を、Ｕは上方を、Ｓは下方を、Ｌは左方を、Ｒは右方を、夫々示しているが、前後左右等の位置関係は相対的な位置関係を示すに止まり、絶対的な位置を特定するものではない。
【００１７】
（基本構成）
図１及び図３（Ｂ）へ示すように、この固形石鹸立ては、トレー１と、トレー１に設けられた立て部２とを備える。トレー１は、固形石鹸Ｗの底面を支持する複数の突条１０と、突条１０と突条１０との間に配置された凹溝１１とを備える。複数の突条１０のうち、少なくとも一つの突条１０に前記立て部２が支持され、前記立て部２は、その下端２ａと前記凹溝１１の底面との間に隙間ｔを有し、前記固形石鹸Ｗを前記立て部２に立てかけることで、前記固形石鹸Ｗを立てた状態で前記トレー１上に支持する。
使用対象の固形石鹸Ｗは、特に形状や種類、用途を限定するものではなく、洗濯石鹸、身体用石鹸、化粧石鹸、医療用石鹸などの種々の固形石鹸に対して用いることができる。また、固形石鹸を小袋状のネット製袋等に入れて、固形石鹸立てに立てることもできる。
【００１８】
（トレー１）
図２（Ｂ）へ示す通り、トレー１は、平面視長方形の板状体である。図２（Ｂ）に示す通り、ここでは、長方形のトレー１の長辺は、左右に伸びるものとする。
トレー１は、上方へ突出する複数の突条１０と、突条１０間に設けられた凹溝１１とを備える。より詳しくは、図２（Ａ）へ示す通り、トレー１は、正面視において波形の形状を備える、波板状のものである。
【００１９】
トレー１の波形の凸部が上記突状１０であり、波間の凹部が上記凹溝１１である。トレー１において、このように波形の凹凸が、左右横方向に交互に設けられている。
上記各突条１０の頂点は、トレー１の前後に伸び、尾根をなす。同様に、凹溝１１もトレー１の前後に伸びる。特に、突状１０の頂部は、弧状や三角形状など、固形石鹸Ｗの底面と点接触するものとすることによって、乾燥を促すことが容易となる。
【００２０】
図２（Ａ）及び図３（Ｂ）へ示すトレー１では凹溝１１は傾斜していない。図２（Ｄ）へ示す通り、固形石鹸から出る水分の水抜き構造として、少なくとも凹溝１１の底は、前後の一方側が前後の他の一方側より低くなるように、傾斜するものとして実施できる。図２（Ｄ）へ示す例では、トレー１の１対の長辺である前辺１ａと後辺１ｂとのうち、前辺１ａ側が後辺１ｂ側より低くなるように凹溝１１の底は傾斜する。但し、トレー１の前後は説明の便宜上の方向であり、図示した例において後辺１ｂ側が前辺１ａ側より低くなるように凹溝１１の底が傾斜するものとしてもよい。また、前後方向の中央が最も高く、前辺１ａ側及び後辺１ｂ側が低くなるように傾斜するものとしても実施可能である。また、凹溝１１の底部のみならず、突条１０も傾斜するようにしてもよい。
【００２１】
突条１０の個数は、２本以上設けることによって、固形石鹸を安定して支持することができる。また、各突条１０の高さは、互いに同じ高さとしてもよいが、異なる高さで実施することもできる。
特に図２（Ａ）に示す通り、上記２つの突状１０と両突条１０間の凹溝１１とが呈する曲線と、当該２つの突条１０の左右外側の凹溝が呈する曲線とは、若干形状が異なるが、図３（Ｂ）へ示すように、両曲線は同じ形状としても実施できる。また、図１、図２（Ａ）〜（Ｃ）、図３（Ｃ）及び図４へ示す例では、トレー１の左右の端面１ｃ，１ｄは、上を向いているが、図３（Ｂ）へ示すように、左右方向を向くものとしてもよい。トレー１の端面１ｃ，１ｄを左右方向に向けることによって、固形石鹸を傷つけ難い。またトレー１を指で摘まみ易い。
【００２２】
上記の通りトレー１１の起伏全てを同じ形状とする場合、起伏の曲線は図３（Ｂ）へ示すものに限定するものではない。例えば、図２（Ｄ）へ示すように図３（Ｂ）の起伏と異なる曲線を描くものとしても実施できる。
【００２３】
更に、図１、図２（Ａ）〜（Ｃ）、図３（Ｂ）（Ｃ）及び図４では、凹溝１１は傾斜していないものを示したが、これらの例においても、凹溝１１は傾斜するものとして実施できる。逆に図２（Ｄ）へ示す波形のトレー１１において、凹溝１１を傾斜させないものとしても実施できる。
【００２４】
この実施の形態は、一般的なサイズの固形石鹸を１つ載置することを予定するものである。この実施の形態において、トレー１の前後の幅、即ち上記前辺１ａと後辺１ｂとの間の幅を、２ｃｍ〜１０ｃｍとするのが好ましく、狭いタイプでは２．５ｃｍ〜４ｃｍとするのがより好ましく、広いタイプでは５ｃｍ〜６ｃｍとするのがより好ましい。また、トレー１の左右の長さは、７ｃｍ〜１４ｃｍとするのが好ましい。
但し、固形石鹸を立てかけた状態に載置することができれば、トレー１は上記範囲外の寸法を採ることができる。
【００２５】
トレー１は、平面視において、図２（Ｂ）へ示す長方形以外に、正方形や台形その他の四辺形に形成することができる。また、トレー１は矩形に限るものではなく、他の多角形や、楕円形やその他の曲線形状、或いは直線と曲線とが複合した輪郭を備えるものであっても実施できる。
【００２６】
（スリット３）
複数の突条１０のうち、少なくとも一つの突条１０には、当該突条１０の長手方向と交わる方向にスリット３が形成されている。即ち、スリット３は、突条１０の長手方向である、トレー１の前後方向に対して、直交する左右方向に伸びる。この実施の形態では、図２（Ｂ）（Ｃ）へ示す通り、２つの突条１０の夫々にスリット３が設けられている。スリット３は、山なりの突条の曲面に沿って伸び、スリット３の左右の両端は、突条１０の頂点よりも下方であって、凹溝１１の底部よりも上方に位置する。
【００２７】
図２（Ｂ）へ示す通り、スリット３は、各突条１０において、トレー１の前辺１ａ寄りと後辺１ｂ寄りの２か所に設けられている。
前方側のスリット３と後方側のスリット３の間隔は、トレー１の前後の幅を超えない範囲において、２〜４ｃｍとするのが好ましい。
但し、固形石鹸を立てた状態に載置することができれば、このような数値は、上記範囲外に変更可能である。
また、立て部２をトレー１へ１枚のみ設ける場合は、図２（Ｂ）へ示すトレー１の前辺１ａ寄りのスリット３は設けずに実施することができる。
【００２８】
（立て部２）
立て部２は、平面状の板部を有する。この実施の形態では、立て部２は、トレー１と別体に形成された板であり、立て部２の全体が上記平面状の板部である。立て部２が、平面状の板部を備えることによって、当該板部に図柄や文字を印刷することが容易となり、装飾性の向上や広告面として利用する上で便利である。
また、図３（Ａ）へ示す通り、この実施の形態において、立て部２は台形の板である。具体的には、立て部２は、等脚台形の板であり、上方に向かうに従って横幅が漸次狭くなっている。
また、図示は省略するが、平面状の板部に貫通孔や凹部を形成してもよい。貫通孔や凹部の形状は、円形、多角形、星形、アルファベットの文字、キャラクター等々、種々のデザインのものを採用できる。
【００２９】
（被支持部４）
図３（Ａ）（Ｂ）へ示す通り、立て部２の下側に被支持部４を備え、立て部２は、トレー１のスリット３に被支持部４を挿入することによって、トレー１に立てられる。
立て部２の下端２ａ付近に上記被支持部４が設けられている。詳しくは、被支持部４は、立て部２の当該下端２ａから上方へ向け、立て部２をスリット３へ差し込んでトレー１の上記突条１０へ支持させることができる範囲に渡って設けられた、スリット３への差し込み部位である。
【００３０】
この実施の形態において、図１へ示すように、固形石鹸立ては、立て部２を１枚のみ備える。トレー１上において立て部２の少なくとも正面前方は開放され、固形石鹸Ｗを立て部２の正面に立てかけることにて、固形石鹸Ｗの正面側を露出させた状態で、固形石鹸Ｗをトレー１上に支持する。
【００３１】
（隙間ｔ）
図３（Ｂ）へ示す通り、立て部２がトレー１に取り付けられた状態において、立て部２の下端２ａとトレー１の上記凹溝１１の底面との間に隙間ｔを有する。この隙間ｔによって、凹溝１１は、立て部２に遮られずに、固形石鹸から滴る水分を排水することができる。従って、隙間ｔは、例えば、５mm以上など、水を円滑に通すことができる幅とすることが望ましい。
【００３２】
なお、前述のように、立て部２の形状は種々変更して実施することができるが、その下端２ｂの形状についても種々の形状を採用できる。
図３（Ａ）〜（Ｃ）の例では、直線状の下端２ａとしているが、図３（Ｄ）に示すように、立て部２の下端２ａから下方に突出する凸部２ｂを単数又は複数設けても良い。その際、凸部２ｂを、スリット３の下端部の位置よりも低い位置に突出させることによって、立て部２が横方向にずれることを防止することができる（図３（Ｅ）参照）。即ち、凸部２ｂを、トレー１の突条１０に対応する位置に設けておくことで、スリット３の左右に凸部２ｂを配置することができ、これによって、立て部２が左右に移動しようとしても、トレー１の凹溝１１におけるスリット３の下端部付近に当たることで、左右の移動が規制される。また、図３（Ｆ）に示すように、凹溝１１に対応する位置に凸部２ｂを設けるようにしてもよい。この場合、凸部２ｂはスリット３の下端部よりも下方に伸びて、凹溝１１内に入り込む。これによって、これによって、立て部２が左右に移動しようとしても、トレー１の凹溝１１におけるスリット３の下端部付近に当たることで、左右の移動が規制される。但し、前述の隙間ｔを設けるためには、この凸部２ｂをあまり大きく形成して、凹溝１１の底部に接するようにすることは好ましくない。
他方、図示は省略するが、前述の隙間ｔを大きくするには、凸部２ｂとは逆に、立て部２の下端２ａよりも上方に凹んだ凹部を形成するようにしてもよい。
【００３３】
（抜け止め構造）
立て部２は、着脱可能にスリット３へ上記挿入が行えるものである。この固形石鹸立ては、トレー１と立て部２との間に抜け止めの構造を備える。
この実施の形態において上記抜け止め構造として、被支持部４が、上記スリット３へ強制的に嵌合されることにて、スリット３から簡単に外れないようトレー１へ取り付けられる構造を採る。強制嵌合を行うためには、トレー１と立て部２の何れか一方又は双方をプラスチックなどの弾性変形可能な素材で形成し、立て部２を押し付け当該弾性変形可能な範囲にてスリット３又被支持部４を変形させることにより挿入できるものとし、変形前のスリット３を被支持部４の厚みよりも若干小さいものとしておけばよい。
【００３４】
図１及び図３に示す実施の形態において、立て部２は、正面視において台形の輪郭を備えるものを例示したが、立て部２の形状は自由に設計することができ、立て部２の形状を上記台形に限定するものではない。
また、固形石鹸立てには、図１（Ｂ）へ示すように直接固形石鹸Ｗを立てる他、図５（Ａ）へ示すように泡立てネットＮに収納した状態の固形石鹸Ｗを立てるものとしても実施できる。
【００３５】
（抜け止めの構造の有無）
トレー１と立て部２とは、抜け止め構造を備えないものとしても実施できる。具体的には、立て部２は、トレー１へ立てられた状態にて固形石鹸を支持できるものであれば、立て部２の被支持部４をトレー１のスリット３へ強制嵌合するものでなくともよい。具体的には、被支持部４の厚みをスリット３と同じか若干小さいものとして、トレー１から立て部２を簡単に外せるもとしても実施できる。但し、立てられた固形石鹸が立て部２にくっついて固形石鹸と共に立て部２がトレー１から外れる危惧があるので、抜け止め構造を設けておくのが好ましい。
【００３６】
（抜け止めの構造の変更例）
抜け止め構造には、トレー１に立て部２を着脱自在に取り付けることができるものであれば、上記の強制嵌合以外の構造を採用して実施することができる。
図４へ抜け止め構造の変更の一例を示す。
この抜け止め構造は、トレー１に設けられた係止部５と、立て部２に設けられ係止部５へ係止される被係止部６とにて構成される。
【００３７】
図４（Ａ）及び図４（Ｃ）へ示す通り、この実施の形態において、係止部５は、スリット３の内側面に設けられた凹部であり、被係止部６は、立て部２の被支持部４に設けられた凸部である。
具体的には、係止部５は、スリット３の前後に設けられた縦溝である。
スリット３は、トレー１の上面から下面にかけて貫通しており、縦溝もスリット３と共にトレー１の上面から下面にかけて設けられている。図４（Ａ）（Ｃ）の例では、スリット３の突条１０頂部の位置に係止部５が設けられている。
また、被係止部６は、上記被支持部４表面から立て部２の前後へ突出する突起である。
【００３８】
図４（Ｃ）へ示す通り、立て部２のトレー１への取り付けにおいて、トレー１に対し、立て部２をトレー１の上方からトレー１に向けて下方に移動させて、スリット３に被支持部４を差し込む。この差し込みにおいて被係止部６を係止部５へ挿入して、下方へ移動させる。被係止部６がトレー１の下面側へ移動した後、立て部２を横方向に移動させることにより、被係止部６を係止部の真下から横方向へ移動させる。このようにして、立て部２がトレー１から上方へ後戻りするのを、被係止部６はトレー１の下面と当接して阻止する。
【００３９】
立て部２を取り外す際は、先ず横方向について立て部２を上記取り付け時と逆の方向に移動させて被係止部６を係止部５の真下に配した後、立て部２を上方へ移動させて、係止部５を通じて被係止部６をトレー１の上方へ引き抜けばよい。
上記において突起である被係止部６を、スリット３の上下の幅に対応する間隔分、立て部２の下端２ａよりも上方に設けておくのが好ましい。スリット３の上下の幅を最大限利用して、深く被支持部４を差し込むことができるからである。
【００４０】
図４（Ａ）（Ｃ）へ示す例では、係止部５は、スリット３の突条１０の頂部に設けられるものを示した。この他、スリット３において係止部５を突条１０の頂部以外の部位に設けるものとしても実施できる。例えば、図４（Ｂ）へ示す例では、係止部５はスリット３の端部に設けられている。図４（Ｂ）に示すトレー１への立て部２の取り付けにおいて、トレー１に向けて下方に立て部２を移動させるとき、被係止部６をスリット３の横方向外側にて下方に移動させる。そして被係止部６が係止部５の真横に来た際、立て部３を横方向に移動させて被係止部６を係止部５へ挿入し、トレー１の下面側へ被係止部６を配置すればよい。図４（Ｂ）に示す例では、スリット３の上下の幅を最大限利用して、被支持部４を差し込むために、突起である被係止部６を、上下方向について立て部２の下端２ａと接する位置に設けておくのが好ましい（図示は省略）。
【００４１】
図４（Ａ）（Ｃ）と図４（Ｂ）の何れの場合も、被係止部６は、立て部２の前後両面に設けるものとした。この他、被係止部６は、立て部２の前後何れか一方の面にのみ設けるものとしても実施できる。この場合、図４（Ａ）（Ｃ）と図４（Ｂ）に示すように、係止部５もスリット３の前後両側に設けてもよいが、被係止部６に対応して、スリット３の前後何れか一方にのみ係止部５を設けるものとしてもよい。
また、上記と逆に、トレー１側が上記の被係止部６を備え、立て部２側が上記の係止部５を備えるものとしても実施できる。
【００４２】
（立て部２の取り付け枚数の変更例）
図１に示す例では、トレー１に対して立て部２を１枚のみ設けるものであった。この他、図３（Ｃ）及び図５（Ｂ）へ示すように、トレー１に対して立て部２を、互いの間隔を開けて前後２枚設けるものとしても実施できる。立て部１枚とすることにより、固形石鹸の前方を開放して固形石鹸をより乾燥し易いものとすることができる一方、立て部２を前後２枚設けることにより、固形石鹸がトレー１から脱落し難いものとすることができる。
また、立て部２を、上記の通り、２枚設けておくことによって、眼鏡などの固形石鹸以外の小物もトレー１に立てることができて便利である。
【００４３】
また図５（Ｃ）へ示すように、立て部２は、少なくとも固形石鹸１個を収容できる間隔を互いの間に開けて、少なくとも３枚トレー２上に並べて配置されるものとしても実施できる。３枚の立て部２のうち真ん中に配された立て部２を間仕切りとして、当該立て部２の前後に固形石鹸を配置することによって、２個の固形石鹸同士を接触させずに立てることができる。但し、このように２個の固形石鹸を立てるのに、図５（Ｄ）へ示すように、トレー１の前後の幅を２個の固形石鹸が立てられるものとし、図５（Ｃ）において前方に位置されていた立て部２は設けずに実施してもよい。
【００４４】
（立て部の変更例）
立て部２の形状は、図５（Ｅ）へ示すように、等脚台形の上辺の両端の角を丸く落としたものとしても実施できる。このように立て部２の角を落とすことにより、固形石鹸を傷つけ難いというメリットがある。また、図３（Ａ）へ示す等脚台形以外に、図５（Ｆ）に示すように等脚台形でない不等脚台形とすることができる。また、立て部２は、正方形や長方形その他の矩形や、三角形や五角形以上の多角形としても実施できる。立て部２を三角形とする場合、頂角を丸く落としておくのが、図５（Ｅ）の場合と同様の理由で好ましい。また、立て部２は、多角形以外に、円弧や他の曲線的形状、曲線と直線とが複合した形状を採るものであっても実施できる。
また、立て部２は、印刷を予定する箇所など、その一部分のみを前述の板部として形成されたものであってもよい。
【００４５】
（トレーの変更例）
前述の通り、トレー１の凹溝１１の底は傾斜しても傾斜しなくても何れでも実施できる。例えば凹溝１１の底は、図５（Ａ）において一点鎖線で示すように傾斜せずに前後に伸びるものとしてもよいし、図５（Ｄ）へ一点鎖線で示す通り、傾斜するものとしてもよい。傾斜する場合も、既に述べた通り、図示した凹溝１１の先端側が低くなるもののほか、後端側が低くなるものとしてもよい。また、前後方向の中央が最も高くなるように傾斜するものとしてもよい（図５（Ｂ）（Ｃ））。
【００４６】
トレー１は、突条１０と凹溝１１とを備え、前述の隙間ｔが設定されたものであればよく、図２へ示す波板状と異なる形状を備えたものであっても実施できる。
更に図６（Ａ）〜（Ｅ）へトレー１の変更の一例を示す。
図６（Ａ）に示すトレー１では、左上方を臨む左斜面と右上方を臨む右斜面とが交互に形成され、当該左斜面と右斜面にて象られた三角の山が左右方向に複数連続して配列されている。図６（Ａ）のトレー１において当該三角の山が突条１０であり、隣り合う山間の谷間が凹溝１１である。突条１０を三角の山とする他、図６（Ｂ）へ示すように、矩形の山としても実施できる。また図示は省略するが、突条１０の形状を矩形の山とする場合も、図６（Ｂ）に示す長方形や正方形に限定するものではなく、突条１０を台形など上記以外の四角形にしてもよい。
【００４７】
また突条１０を多角形とする他、図６（Ｃ）へ示す、上方に向けて凸となる凸曲線としてもよく、更に、図６（Ｄ）へ示す、左右が凹曲面に象られた山型のものとしてもよい。また、図２（Ａ）や図６（Ａ）〜（Ｄ）へ示すように、トレー１を波板状に形成することにより、突条１０を形成するのではなく、図６（Ｅ）へ示すように、平らなトレー１の上面から上方へ突設置された板状のものとしても実施できる。
【００４８】
図６に示す各トレー１は、変更の一例であり、このような形態にトレー１を限定するものではない。例えば、上述の各例では、トレー１の正面視において、同一の幾何学的な形状の突条１０が複数規則的に配列されたものを示した。この他、突条１０は、トレー１の他の部分よりも上方に突出するものであればよく、幾何学的な形状に限定するものではない。また、幾何学的な形状の採用如何に関わらず、突条１０の配列は規則性を持たないものとしても実施できる。
【００４９】
当該規則性を持たない例としては、複数の突条１０の配列が等間隔でない場合や、個々の突条１０同士の形状や寸法が異なる場合の他、突条１を一つのみ設ける場合も含まれる。
また、突条１０を複数設ける場合、横方向に配列するのみならず、前後方向にも複数配列して実施できる。
例えば、即ち、個々の突条１０は、トレー１の前後方向に連続した尾根を形成するもの以外に、当該前後方向について不連続なものとしても実施できる。この場合、凹溝１１もトレー１の前後方向について不連続なものとなるが、トレー１上面全体を前方又は後方に傾けることにより、或いは前後方向についてトレー１の中央が最も高くなるように形成することにより、円滑な排水を期すことができる。
【００５０】
（突条の高さ）
次に、図７（Ａ）に示すように、複数の突条１０の高さを、異なるものとして実施することもできる。この例では、突条１０を、トレー１の中央に位置する中央突条１０ａと、その左右両側に位置する側部突条１０ｂとから構成した。そして、中央突条１０ａよりも側部突条１０ｂを高いものとしている。中央突条１０ａの上に固形石鹸Ｗ（図示せず）が載せられることで、固形石鹸Ｗが左右にズレても、側部突条１０ｂに当たることで、トレー１から脱落することを防止することができる。なお、側部突条１０ｂの上には、固形石鹸Ｗを載せることを予定していないため、側部突条１０ｂは、中央突条１０ａのように左右に斜面のある山形ではなく、その半分だけの突条となっているが、中央突条１０ａと同様に山形の形状とすることもできる。
【００５１】
（立て部の形状）
次に、図７（Ｂ）に示すように、立て部２は、平板的な形状のみならず、前後左右上下に立体的な形状としてもよい。この例では、鯨の形を象ったものとしているが、その形状は種々のキャラクターや、果物や動物等の天然物や、建造物やスポーツ用具等の人工物や、抽象的形状等々、種々の形状を採用できる。
【００５２】
次に、図８に示すように、立て部２を波形の板状体として実施することもできる。これに合わせて、スリット３は湾曲した形状とする。なお、図８（Ａ）（Ｃ）においては、凹溝１１を複数の細い平行線で示した。なお、これ以降の図でも、凹溝１１を複数の細い平行線で示す場合がある。
また、図９に示すように、立て部２は、波形の形状とするものの他、一方にのみ湾曲した板状体として実施することもできる。さらに、図１０に示すように、立て部２の左右長さを、トレー１の左右長さと略同じ長さとすることもできるし、図示は省略するがトレー１よりも長くすることもできる。
これらの例のように、立て部２を湾曲させることで、固形石鹸Ｗ（図示せず）に対する接触面積を少なくすることができ、固形石鹸Ｗが立て部２にひっついてしまうことを防止することができる。
【００５３】
（トレーの連結）
次に、図１１に示すように、複数個のトレー１を、左右に連結したり（図１１（Ａ））、前後に連結させたり（図１１（Ｂ））してもよい。図示は書略するが、トレー１同士は、凹凸の嵌合などで着脱可能に連結することも望ましい。
【００５４】
（トレーの形状）
次に、前述の各例では、トレー１は、平面視矩形のものとして実施したが、その形状は種々変更して実施することができる。具体的には、図１２に示すように楕円形としてもよく、円形や多角形やその他キャラクターの形状を模したもの等々、種々変更して実施することができる。なお、図１２（Ａ）では、トレー１に対して、平板状の立て部２を装着したものであり、図１２（Ｂ）では湾曲した立て部２を装着したものである。
【００５５】
（壁面への取付）
トレー１は、洗面台等の上に置くものとして実施する他、壁面Ｈに取り付けるものとして実施することができる。具体的には、図１３（Ａ）に示すように、吸盤１３を立て部２に取り付けて、この立て部２を壁面Ｈに吸着させるものとして実施することができる。その際、吸盤１３が取り付けられた立て部２は、トレー１から外れないように固定しておくことが必要である。但し、着脱可能にしておく必要はない。
【００５６】
図１３（Ａ）の例では、トレー１よりも上に吸盤１３が位置するが、トレー１を下方から支持するようにしてもよい。その例を図１３（Ｂ）に示す。この例では、トレー１の下方に支持部１２を設けて、この支持部１２に吸盤１３を取り付けるようにしたものである。吸盤１３は、立て部２と同様、トレー１にスリット３を設けることによって着脱可能に取り付けるものであってもよく、一体成型や接着等で着脱不能に固定したものであってもよい。吸盤１３に代えてマグネットや粘着部材などの他の固定手段を採用してもよい。
【００５７】
（１つの突条）
前述の各例では、突条１０は複数設けたが、１つの突条１０のみでトレー１を構成するものであってもよい。具体的には、図１４に示すように、左右に斜面を有する山形に突条１０を形成し、この左右の両斜面にスリット３を形成して、立て部２を着脱可能に取り付けたものを例示できる。その際、立て部２は前述の各例のように、突条１０の伸びる方向と交わる方向（具体的には左右方向）に伸びるように配置すればよいが、これだけでは、固形石鹸Ｗ（図示せず）が突条１０から脱落するおそれもある。そのため、この例では、左右方向に伸びる主立て部２１と、これと交わる方向（具体的には前後方向）に伸びる副立て部２２とによって、立て部２を構成した。主立て部２１は、前述までの立て部２と同様、その下部がスリット３に嵌合されるが、副立て部２２は１に接触しないように、その下端が主立て部２１の下端よりも高くなるように形成した。これによって、副立て部２２とトレー１との間に隙間があき、その隙間から水を排出することができる。図では、後方の立て部２のみを図示したが、前方においても必要に応じて設けるようにしてもよい。
【００５８】
（その他の変更）
上記の各実施の形態と異なり、立て部２をトレー１と一体に形成するものとしても実施できる。但し、上述の各実施の形態に示す通り、立て部２はトレー１と別体に形成するほうが、組み立て前において嵩張らず保管や運搬に便利である。
また、トレー１と別体に形成した立て部２をトレー１に対して着脱自在とすることによって、洗浄などにて清掃を行うときに、分解できるので便利である。また、組み立て後収納や運搬の必要が生じた場合に、分解して嵩を抑えることができる。
但し、立て部２を一旦トレー１へ取り付けた後は外れない嵌め殺しの構造を採るものを除外するものではない。
【００５９】
上述してきた各例において、特に言及しなかった事項については、図１〜図４へ示す実施の形態と同様である。また、各例の特徴的な構成は、種々組合せて実施することができる。例えば、主立て部２１と副立て部２２とから構成される立て部２を、図１３までの各例に適用して実施することもできる。
【符号の説明】
【００６０】
１      トレー
２      立て部
２１    主立て部
２２    副立て部
３      スリット
１０    突条
１０ａ  中央突条
１０ｂ  側部突条
１１    凹溝
１２    支持部
１３    吸盤
Ｎ      ネット
Ｗ      固形石鹸
【図１】
2014079571.tif 000003
【図２】
2014079571.tif 000004
【図３】
2014079571.tif 000005
【図４】
2014079571.tif 000006
【図５】
2014079571.tif 000007
【図６】
2014079571.tif 000008
【図７】
2014079571.tif 000009
【図８】
2014079571.tif 000010
【図９】
2014079571.tif 000011
【図１０】
2014079571.tif 000012
【図１１】
2014079571.tif 000013
【図１２】
2014079571.tif 000014
【図１３】
2014079571.tif 000015
【図１４】
2014079571.tif 000016